(57)【要約】      （修正有）【課題】パーソナル電子デバイスのユーザによるクライアント側またはネットワーク側データ・アクセス・サービスの使用に資金提供するために広告を用いる技法を提供する。【解決手段】種々の技法を用いて、ディジタル広告コンテンツを特定のデータ・アクセス・サービスを通じてアクセス可能なデータ項目と関連付ける。口座残高を有する口座を用いて、ユーザとデータ・アクセス・サービスとの間における対価の交換を記録する。ユーザがパーソナル電子デバイスを用いて、データ・アクセス・サービスを通じてデータ項目にアクセスすると、データ・アクセス・サービスによって生じる対価を反映するように、口座残高を調節する。ユーザがディジタル広告コンテンツを消費すると、ユーザによって生じる対価を反映するように、口座残高を調節する。このように、口座は、データ・アクセス・サービスの使用に、広告源が資金提供するための媒体としての役割を果たす。【選択図】図１
2014029716.tif 000002
【特許請求の範囲】
【請求項１】
データー・アクセス・サービスの使用に資金提供する方法であって、
パーソナル電子デバイス（１０５、１０７）のユーザー（１１１）を特定するステップ（３０２）と、
前記パーソナル電子デバイスを通じてアクセス可能なデーター・アクセス・サービス（１２７）を特定するステップ（３０２）と、
前記データー・アクセス・サービスを通じてアクセス可能なデーター項目（１１５）を特定するステップ（３０２）と、
ユーザーによる消費のために、ディジタル広告コンテンツ（１０２）を特定するステップであって、前記ディジタル広告コンテンツが広告源からのものである、ステップ（３０４）と、
前記ディジタル広告コンテンツを前記データー項目と関連付けるステップ（３０４）と、
ユーザーと前記データー・アクセス・サービスとの間における対価の交換を記録するために口座（２３０）にアクセスするステップ（３０６）であって、前記口座が口座残高（２３２）を有する、ステップと、
ユーザーが前記データー・アクセス・サービスを通じて前記データー項目にアクセスするために前記パーソナル電子デバイスを使用するとき、前記データー・アクセス・サービスによって生じる対価を反映するために、前記口座残高を調節するステップ（３０８）と、
ユーザーが前記ディジタル広告コンテンツを消費するとき、ユーザーによって生じる対価を反映するために、前記口座残高を調節するステップ（３１０）と、
を備えており、前記口座は、前記データー・アクセス・サービスのユーザーによる使用に、前記広告源が資金提供するための媒体としての役割を果たす、方法。
【請求項２】
請求項１記載のコンピューター読み取り可能媒体において、ユーザーを特定する前記ステップは、
ユーザーと関連付けられた個人情報（２２２）を確認するステップと、
データー・アクセス・サービスを特定するステップ、データー項目を特定するステップ、ディジタル広告コンテンツを特定するステップ、前記ディジタル広告コンテンツを前記データー項目と関連付けるステップ、および口座にアクセスするステップの内１つ以上を、前記確認した個人情報に基づかせるステップと、
を備えた、コンピューター読み取り可能媒体。
【請求項３】
請求項１記載の方法において、データー項目を特定する前記ステップは、
前記パーソナル電子デバイスを通じて受信したユーザーからの入力に基づいて、前記データー項目を特定することを含む、方法。
【請求項４】
請求項１記載の方法において、前記データー項目は、所定の知的所有権によって保護されており、ユーザーが前記データー・アクセス・サービスを通じて前記データー項目にアクセスするために前記パーソナル電子デバイスを使用する前に、
ディジタル権利管理技法を通じて、前記所定の知的所有権の下でユーザーに権利を付与する取り決めを行うステップを備えており、
前記付与される権利は、前記ディジタル広告コンテンツの前記ユーザーの消費を条件とする、方法。
【請求項５】
請求項１記載の方法において、前記データー項目は前記パーソナル電子デバイス上に格納される、方法。
【請求項６】
請求項１記載の方法において、利用可能なデーター項目のカタログに前記データー項目が格納され、前記カタログはＷＡＮベースのサービスによって提供される、方法。
【請求項７】
請求項１記載の方法において、前記データー転送サービスは、クライアント側アプリケーションまたはネットワーク側アプリケーションを備えており、前記口座はネットワーク接続サーバーまたはクライアント側デバイス上に位置する、方法。
【請求項８】
請求項１記載の方法において、前記データー転送サービスはアプリケーションを備えた、方法。
【請求項９】
請求項１記載の方法において、ディジタル広告コンテンツを特定する前記ステップは、
所定の規則（２２０）に基づいて、ディジタル広告を選択するステップと、
前記選択したディジタル広告をユーザーと関連付けるステップと、
を備えた、方法。
【請求項１０】
請求項１記載の方法において、前記ディジタル広告コンテンツを前記データー項目と関連付けるステップは、
前記データー項目にディジタル広告コンテンツのタグを付けること、および
前記ディジタル広告コンテンツを前記データー項目の中に埋め込むこと、
から成る一群から選択する、方法。
【請求項１１】
請求項１０記載の方法において、ディジタル広告コンテンツを前記データー項目と関連付ける前記ステップは、
ユーザーが前記データー項目にアクセスするために前記パーソナル電子デバイスを使用する前に、前記パーソナル電子デバイスによって前記関連付けるステップを実行する、
ユーザーが前記データー項目にアクセスするために前記パーソナル電子デバイスを使用した後に、前記パーソナル電子デバイスによって前記関連付けるステップを実行する、
ユーザーが前記データー項目にアクセスするために前記パーソナル電子デバイスを使用する前に、ＷＡＮベースのサービスによって前記関連付けるステップを実行する、
ユーザーが前記データー項目にアクセスするために前記パーソナル電子デバイスを使用した後に、ＷＡＮベースのサービスによって前記関連付けるステップを実行する、
ソース電子デバイスとターゲット電子デバイスとの間で前記データー項目が転送されるとき、ＷＡＮベースのサービスによって前記関連付けるステップを実行する、
から成る一群から選択した態様で実行する、方法。
【請求項１２】
請求項１１記載の方法において、前記ＷＡＮベースのサービスを、前記広告源の代わりに提供されるサービス、前記データー転送サービスの代わりに提供されるサービス、および第三者サービスから成る群から選択する、方法。
【請求項１３】
請求項１記載の方法において、前記データー転送サービスにより生じる対価を反映するように前記口座残高を調節するステップは、前記口座残高に貸方記入することを含む、方法。
【請求項１４】
請求項１記載の方法において、前記ユーザーにより生じる対価を反映するように前記口座残高を調節するステップは、前記口座残高に借方記入することを含む、方法。
【請求項１５】
請求項１記載の方法であって、更に、
前記データー・アクセス・サービスを通じて前記データー項目がアクセスされるときに、サービス・アクセス・データー（１１２）を発生するステップと、
前記ディジタル広告コンテンツがユーザーに提示されるときに、広告消費データー（１１３）を発生するステップと、
前記サービス・アクセス・データーおよび前記広告消費データーをデーター収集サービスに送信するステップと、
を備えており、前記対価は、前記サービス・アクセス・データーに基づいて、前記データー転送サービスによって生じ、前記対価は、前記消費データーに基づいてユーザーによって生じる、方法。
【請求項１６】
請求項１５記載の方法であって、更に、
パーソナル電子デバイスを通じた前記ディジタル広告コンテンツのユーザーへの能動的または受動的提示のために取り決めを行うステップを備えた、方法。
【請求項１７】
コンピューター読み取り可能記憶媒体（４０４）と、
前記コンピューター読み取り可能記憶媒体および前記コンピューター読み取り可能媒体に格納されたコンピューター実行可能命令（４０６）に応答するプロセッサー（４０２）であって、
パーソナル電子デバイスのユーザーを特定し、
前記パーソナル電子デバイスを通じてアクセス可能なデーター・アクセス・サービスを特定し、
前記データー・アクセス・サービスを通じてアクセス可能なデーター項目を特定し、
ユーザーによる消費のためのディジタル広告コンテンツを特定し、前記ディジタル広告コンテンツが、広告源からのものであり、
前記ディジタル広告コンテンツを前記データー項目と関連付け、
ユーザーとデーター・アクセス・サービスとの間における対価の交換を記録するために口座にアクセスし、前記口座が口座残高を有し、
ユーザーが前記データー・アクセス・サービスを通じて前記データー項目にアクセスするために前記パーソナル電子デバイスを使用するとき、前記データー・アクセス・サービスによって生じる対価を反映するために、前記口座残高を調節し、
ユーザーが前記ディジタル広告コンテンツを消費するとき、ユーザーによって生じる対価を反映するために、前記口座残高を調節する、
前記コンピューター実行可能命令を実行可能なプロセッサーと、
を備えており、前記口座が、前記データー・アクセス・サービスのユーザーによる使用に、前記広告源が資金提供するための媒体としての役割を果たす、装置。
【請求項１８】
請求項１７記載の装置において、パーソナル電子デバイスを備えた、装置。
【請求項１９】
請求項１７記載の装置において、ネットワーク接続サーバーを備えた、装置。
【請求項２０】
パーソナル電子デバイスのユーザーがデーター・アクセス・サービスを通じてデーター項目にアクセスするときを特定するように構成された通信マネージャ（２０２）と、
前記通信マネージャに応答する関連付けマネージャ（２０９）であって、前記データー項目を、広告源からのものであるディジタル広告コンテンツと関連付けるように構成された、関連付けマネージャと、
消費マネージャ（２１１）であって、
前記ディジタル広告コンテンツがユーザーに提示されるときに広告消費データーを発生し、
前記パーソナル電子デバイスのユーザーが前記データー・アクセス・サービスを通じて前記データー項目にアクセスするときにサービス・アクセス・データーを発生するように構成された、消費マネージャと、
前記消費マネージャに応答する対価交換マネージャ（２１３）であって、口座残高を有する口座を維持するように構成されており、前記消費データーおよび前記サービス・アクセス・データーに基づいて前記口座残高を調節する、対価交換マネージャと、
を備えており、前記口座が、ユーザーによる前記データー・アクセス・サービスの使用に、前記広告源が資金提供するための媒体としての役割を果たす、システム（１０１）。
【発明の詳細な説明】
【従来技術】
【０００１】
人がディジタル・コンテンツを蓄積し、電子ストレージのコストが低下し続けるに連れて、サーバー、パーソナル・コンピューター、ハンド・ヘルド・コンピューター、携帯電話、パーソナル・ディジタル・アシスタント、車内デバイス、および家庭用娯楽デバイスというような種々のデバイス上で、ディジタル・コンテンツが増々ホストされ消費されるようになっている。ディジタル・コンテンツの例には、個人的または商用ディジタル・メディア・オブジェクト（ビデオ・ファイル、オーディオ・ファイル、画像ファイル、グラフィクス・ファイル、テキスト・ファイル、マルチメディア・ファイル、データー・ファイル、およびプレーリストのようなディジタル・メディア・オブジェクト）、文書、表計算シート、および広告コンテンツが含まれるが、これらに限定されるのではない。
【０００２】
パーソナル電子デバイスには、一般に、接続機構が装備されており、これによってネットワークを通じた通信が可能となり、ワイド・エリア・ネットワーク（「ＷＡＮ」）やローカル・エリア・ネットワーク（「ＬＡＮ」）が事実上至る所で存在している。種々のクライアント側およびネットワーク側データー・アクセス・サービスにより、人々は、偶然居合わせたところでも、殆どどこででもディジタル・コンテンツにアクセスすることが可能である。広く行き渡って用いられているデーター・アクセス・サービスの中には、ブロードキャスト・メディア・サービス、メディア・ダウンロード・サービス、データー同期サービス、電子メール・サービス、ファイル共有サービス、データー記憶サービス、データー・ストリーミング・サービス、メッセージング・サービス、および文書処理サービス（ワープロ・アプリケーションまたは表計算アプリケーションのようなサービス）がある。
【０００３】
ユーザーは、種々の方法で、例えば、ソフトウェア・アプリケーションの使用許諾を得る、および／または、トランザクション毎に、またはサービス加入を通じて、特殊ハードウェアを購入することによって、データー・アクセス・サービスに対して支払いを行う。
【発明の概要】
【発明が解決しようとする課題】
【０００４】
広告は、広告の受け手であるユーザー (user audience)を有するデーター・アクセス・サービス（ブロードキャスト・メディア・サービス、および対話型インターネットベース・サービスのようなサービス）のプロバイダーにとって、一般に知れ渡った収入源であるが、ユーザーは広告収益モデルを利用して、いつでもどこでも彼らの他のデーター・アクセス・サービスの使用の足しにする(subsidize)ことは一般的にはできない。
【０００５】
パーソナル電子デバイスのユーザーによる多くの種類のデーター・アクセス・サービスの使用に資金を提供するための広告使用技法およびプラットフォームを提供することが望ましい。
【課題を解決するための手段】
【０００６】
パーソナル電子デバイスのユーザーが、クライアント側またはネットワーク側データー・アクセス・サービスの使用を通じて、データー項目にアクセスする。広告源からのものであるディジタル広告コンテンツをユーザーが消費することによって、データー・アクセス・サービスの使用に資金提供する。クライアント側またはネットワーク側口座が、ユーザーによるデーター・アクセス・サービスの使用に、広告源が資金提供するための媒体としての役割を果たす。
【０００７】
口座は、口座残高を有し、ユーザーとデーター・アクセス・サービスとの間における対価の交換を記録する。ユーザーがパーソナル電子デバイスを用いて、データー・アクセス・サービスを通じて、データー項目にアクセスすると、データー転送サービスによって生じる対価を反映するように、口座残高を調節する（口座の性質に応じて、借方記入または貸方記入する）。ユーザーがディジタル広告コンテンツを消費すると、ユーザーによって生じる対価を反映するように、口座残高を調節する（口座の性質に応じて、借方記入または貸方記入する）。
【０００８】
ディジタル広告コンテンツは、種々の技法を用いて、種々の位置において、データー・アクセス・サービスを通じてアクセス可能なデーター項目（群）と関連付けられる。実施形態の一例では、ソース電子デバイス（アクセスされたデーター項目を格納するデバイス）がディジタル広告コンテンツをデーター項目と関連付ける。別の実現例の例では、ターゲット電子デバイス（データー項目を転送する先のデバイス）がディジタル広告コンテンツをデーター項目と関連付ける。更に別の実現例の例では、ワイド・エリア・ネットワークベース・サービス（データー・アクセス・サービス、広告サービス、または別のサービスとすることができる）がディジタル広告コンテンツおよびデーター項目を、ソース電子デバイスからターゲット電子デバイスへのデーター項目の転送中における任意の所望地点において関連付ける。ユーザーが動作させるパーソナル電子デバイスは、ソース電子デバイス、ターゲット電子デバイス、または全く異なるデバイスとしてもよい。広告関連付け判断基準を用いて、ユーザーへの提示のための具体的なディジタル広告コンテンツを特定し、および／またはどこで、いつ、そして誰にディジタル広告コンテンツを送信または提示するか決定する。
【０００９】
ディジタル権利および個人情報管理技法を、本明細書において記載するプラットフォームおよび技法と組み合わせて用いることにより、多岐に渡ることが多い個々のユーザーの関心、ならびにオンライン・サービス・プロバイダー、メディア・コンテンツ製作および流通業者、広告源、およびネットワーク運営業者のような、ディジタル・コンテンツの異なる供給源を同時にサポートする、多種多様の業務モデルに対処する。
【００１０】
この摘要は、概念の中から選択したものを簡略化した形態で導入するために設けられている。概念については、更に、詳細な説明の章において記載する。この摘要において記載する要素またはステップ以外のものも可能であり、必ず必要とされる要素やステップはない。この摘要は、この摘要は、特許請求する主題の鍵となる特徴や必須の特徴を特定することを意図するのではなく、特許請求する主題の範囲を判断する際の補助として用いられることを意図するのでもない。特許請求する主題は、本開示のいずれかの部分において記されている欠点のいずれかまたは全てを解決する実現例に限定されるのではない。
【図面の簡単な説明】
【００１１】
【図１】図１は、パーソナル電子デバイスのユーザーによるデーター・アクセス・サービスの使用に資金提供するために広告を用いる場合のアーキテクチャの簡略機能ブロック図である。
【図２】図２は、図１に示す広告資金提供データー・アクセス・サービス・プラットフォームの簡略機能ブロック図である。
【図３】図３は、データー・アクセス・サービスの使用に資金提供する方法のある種の態様、即ち、図２に示すプラットフォームが実行する態様を示すフローチャートである。
【図４】図４は、図２に示すプラットフォームを実現または使用することができる動作環境の構成例の簡略機能ブロック図である。
【発明を実施するための形態】
【００１２】
パーソナル電子デバイスのユーザーによるクライアント側またはネットワーク側データー・アクセス・サービスの使用に資金提供するために広告を用いる技法およびプラットフォームを開示する。ディジタル広告コンテンツに、データー・アクセス・サービスを通じてアクセス可能なデーター項目を関連付ける。ディジタル広告コンテンツのデーター項目との関連付けは、ソース電子デバイス、ターゲット電子デバイス、またはワイド・エリア・ネットワークベース・サービスのように、種々の場所および時点で行うことができる。広告関連付け判断基準を用いて、ユーザーに提案する具体的なディジタル広告コンテンツを特定する、および／またはどこで、いつ、または誰にディジタル広告コンテンツを送信または提案するか決定する。一般に、利用可能な広告には、関連する対価(consideration)の額が定められており、その額は、ポイントを用いることによるというように、任意の所望の様式で表すことができる。
【００１３】
口座残高(account balance)を有するクライアント側またはネットワーク側口座を用いて、ユーザーとデーター・アクセス・サービスとの間における対価の交換を記録する。ユーザーがパーソナル電子デバイスを用いて、データー・アクセス・サービスを通じてデーター項目にアクセスすると、データー・アクセス・サービスによって生じる対価を反映するように、口座残高を調節する（例えば、ポイント加算）。ユーザーがディジタル広告コンテンツを消費すると、関連する額だけ口座残高が調節され（例えば、ポイント減少）、ユーザーが提供した対価を反映する。このように、口座は、ユーザーによるデーター・アクセス・サービスの使用に、広告源が資金提供するための手段としての役割を果たす。
【００１４】
また、本明細書において記載するプラットフォームおよび技法と関連付けて、ディジタル権利および個人情報管理技法の使用についても論じ、更に、ハッカーや有害ソフトのような悪意の存在(presence)に対抗して保護するためのセキュリティ技法についても論ずる。
【００１５】
図面に移るが、図面では同様の番号は同様の構成要素を示すこととする。図１は、広告資金提供データー・アクセス・サービス・プラットフォーム（「ＡＦ  ＤＡＳＰ」）１０１（図２に関連付けて論ずる）を含むアーキテクチャ１００の簡略機能ブロック図であり、その態様は、１つ以上のネットワーク接続サーバー１０３内、および／または１つ以上のパーソナル電子デバイス（デバイス１０５、１０７が示されている）内に実現することができる。その各々は、１つ以上の通信ネットワーク１１０を通じた通信に合わせて構成されており、ユーザー１１１に応答する。ＡＦ  ＤＡＳＰ１０１は、１つ以上のデーター項目１１５にアクセスするためにユーザーが１つ以上のクライアント側またはネットワーク側データー・アクセス・サービス１２７を使用する際に、その資金提供を推進する。このような資金提供は、少なくとも部分的に、広告コンテンツ源１５５からのものであるディジタル広告コンテンツ１０２のユーザーの消費によって行われる。また、ＡＦ  ＤＡＳＰ１０１は、広告消費データー１１３およびサービス・アクセス・データー１１２の収集、ならびにアーキテクチャ１００内部にある種々の宛先への（任意の）流通の態様も扱う（広告消費データー１１３およびサービス・アクセス・データー１１２については、図２と関連付けて論ずる）。
【００１６】
広告コンテンツ源１５５は、ディジタル広告コンテンツ１０２のあらゆる供給源を表す。ディジタル広告コンテンツ１０２は、ディジタル広告、およびディジタル広告に関連するメタデーターを表す。ディジタル広告は、一般には、オーディオ・ファイル、ビデオ・ファイル、テキスト・ファイル、画像ファイル、またはマルチメディア・ファイルのような、ディジタル・メディア品目である。ディジタル広告に関連するメタデーターは、ディジタル広告に関するあらゆる形態またはフォーマットのあらゆる情報、あるいはディジタル広告のデーター項目１１５との関連付け（群）に関する情報である（例えば、データー項目１１５、およびデーター・アクセス・サービス１２７の使用によるそれらのアーキテクチャ１００全体における移動を記述するメタデーター）。ディジタル広告に関連するメタデーターの例には、広告源情報、有効期限データー情報、ウェブ・サイトへのハイパーリンク、提示スケジュール情報、広告期間、ファイル・サイズ情報、およびフォーマット情報が含まれるが、これらに限定されるのではない。ディジタル広告は、一般に、それらに伴う対価価値(consideration value)を有し、ポイントを用いることによるというように、任意の所望の様式で論理的に表すことができる。対価価値は、ＡＦ  ＤＡＳＰ１０１が引用するディジタル広告の全て（またはその部分集合）に割り当てられる固定額としてもよく、あるいは個々のディジタル広告に対して特定的であってもよい。従前からのメディアおよび広告印刷物のように、ディジタル広告の特定的な対価価値を決定するための既知の方法および未だ知られていない(yet known)方法の双方が可能である。
【００１７】
データー項目１１５は、１つ以上のデーター・アクセス・サービス１２７を通じてアクセス可能な、あらゆる商用または非商用ディジタル・コンテンツを表す。データー項目１１５の例には、オーディオ・ファイル、ビデオ・ファイル、テキスト・ファイル、画像ファイル、マルチメディア・ファイル、プレーリストのようなディジタル・メディア品目、およびディジタル・メディア品目に関するメタデーター、文書、表計算シート、消費者トランザクション・データー、ディジタル支払いまたは使用許諾手段(instruments)、ならびにプロファイル、連絡先リスト等のようなデーターが含まれるが、これらに限定されるのではない。データー項目１１５は、既知のフォーマットまたは今後開発されるフォーマットの任意のもの、あるいはその組み合わせで存在することができる。データー項目１１５は、著作権、特許権、商標権、または取引秘密権(trade secret right)のような、１つ以上の第三者の１つ以上の行使可能な知的所有権によって保護することができる。
【００１８】
データー・アクセス・サービス１２７は、ユーザー１１１に１つ以上のデーター項目１１５にアクセスすることを許可するあらゆるクライアント側またはネットワーク側サービスを表す。データー・アクセス・サービス１２７の例には、ブロードキャスト・メディア受信サービス、メディア・レンダリング・サービス、メディア・ダウンロード・サービス、データー同期サービス、電子メール・サービス、ファイル共有サービス、データー記憶サービス、データー・ストリーミング・サービス、メッセージング・サービス、または文書処理サービス（ワープロ・アプリケーションまたは表計算アプリケーションのようなサービス）が含まれるが、これらに限定されるのではない。
【００１９】
携帯用電子デバイス１０５および消費者電子デバイス（群）１０７は、パーソナル電子デバイスの例である。パーソナル電子デバイスは、１つ以上の通信ネットワーク１１０を通じた通信が可能に構成されており、ユーザーに応答する任意の電子デバイス（あるいは、単体のまたは他のデバイスに含まれる、このような電子デバイスの任意の物理的要素または論理的要素）である。携帯用電子デバイス１０５および消費者電子デバイス（群）１０７は、ディジタル広告コンテンツ１０２をレンダリングするように、あるいはディジタル広告コンテンツ１０２を、ディジタル広告コンテンツ１０２をレンダリングするように構成されている他のデバイスに受け渡すように構成することができる。携帯用電子デバイス１０５の例には、移動体電話機、パーソナル・ディジタル・アシスタント、ラップトップ、パーソナル・メディア・プレーヤ、画像またはビデオ・キャプチャ／再生デバイス、あるいは飛行機、列車、または有輪車両のような輸送機器内に一時的または永続的に取り付けられているデバイスが含まれるが、これらに限定されるのではない。消費者電子デバイス（群）１０７の例には、セット・トップ・ボックス、ゲーム・コンソール、ステレオ、ディジタル・ビデオ・レコーダ／プレーヤ、ＰＣ、テレビジョン、ケーブル・モデム、ローカル・ゲートウェイ、またはハード・ドライブ記憶デバイスが含まれるが、これらに限定されるのではない。
【００２０】
サーバー１０３は、通信ネットワーク１１０内にある、または通信ネットワーク１１０によってアクセス可能な１つ以上の場所を表し、オプションとしてＡＦ  ＤＡＳＰ１０１の態様をホストする。
【００２１】
集合的に、通信ネットワーク１１０は、あらゆる既存のまたは今後の、公衆または私設、有線またはワイヤレス、ワイド・エリア（「ＷＡＮ」１２５）またはローカル・エリア（「ＬＡＮ」１２０）、パケット交換または回線交換、一方向または双方向ディジタル・データー送信インフラストラクチャまたは技術を表す。ネットワーク例１１０には、インターネット、被管理ＷＡＮ（例えば、セルラ・ネットワーク、衛星ネットワーク、光ファイバ・ネットワーク、同軸ケーブル・ネットワーク、混成ネットワーク、銅線ネットワーク、ならびにテレビジョン、ラジオ、データーキャスティング・ネットワークのような空中ブロードキャスティング・ネットワーク）、ローカル・エリア・ネットワーク（例えば、ワイヤレス・ローカル・エリア・ネットワークおよびパーソナル・エリア・ネットワーク、または直接ケーブル接続）、および近場通信（ＮＦＣ）デバイスの使用によって形成する一時的ネットワークが含まれる。
【００２２】
通信セッション１９９は、特定のデーター・アクセス・サービス１２７および／またはＡＦ  ＤＡＳＰ１０１の動作と関連のある特定の通信ネットワーク１１０（前述の通信ネットワーク（群）１１０とは異なっていてもよい）を通じて行うことができる、あらゆる直接または代理(proxied)デバイス間通信を表す。通信セッション１９９は、コピー、ダウンロード、アップロード、同期、またはその他の既知のまたは開発されている移送技法によって、データー項目１１５および／またはディジタル広告コンテンツ１０２のパーソナル電子デバイスへの転送、パーソナル電子デバイスからの転送、およびパーソナル電子デバイス間の転送を容易にする。通信セッション１９９は、特定のパーソナル電子デバイスとネットワーク側サービスとの間、２つのパーソナル電子デバイスの間、または２つのネットワーク側サービスの間において確立することができる。また、通信の一部は、ＳＭＳに基づくテキスト・メッセージング・サービスおよびデーター・アクセス・サービス（群）１２７を用いたデーターの交換によって、容易にすることもできる。
【００２３】
ＤＲＭ／ＡＡＡサービス・プロバイダー１８０は、ディジタル権利管理（「ＤＲＭ」）システムまたは技術、あるいは認証、許可、およびアカウンティング（「ＡＡＡ」）システムまたは技法のあらゆるネットワーク側実現例を表す。ＤＲＭ／ＡＡＡサービス１８０は、一般に、ＡＦ  ＤＡＳＰ１０１によって推進する広告資金提供データー・アクセス・トランザクションの態様と組み合わせて用いられる。
【００２４】
図２は、図１に示すＡＦ  ＤＡＳＰ１０１の簡略機能ブロック図であり、その態様は、携帯用電子デバイス１０５または消費者電子デバイス（群）１０７のようなパーソナル電子デバイス内部で、そしてオプションとしてネットワーク接続サーバー１０３内部で実現することができる。ＡＦ  ＤＡＳＰ１０１は、広告コンテンツ源１５５からのものであるディジタル広告コンテンツ１０２のユーザー１１１の消費による、１つ以上のデーター項目１１５にアクセスするための１つ以上のクライアント側またはネットワーク側データー・アクセス・サービス１２７のユーザー１１１の使用の資金提供を推進する。また、ＡＦ  ＤＡＳＰ１０１は、広告消費データー１１３およびサービス・アクセス・データー１１２の収集ならびにアーキテクチャ１００内部にある種々の宛先への（任意の）配布の態様も扱う。
【００２５】
一般に、設計選択および／または動作環境（例えば、ネットワーク側環境またはクライアント側環境）が、ＡＦ  ＤＡＳＰ１０１をどのように実現するか、そして実現するか否かを左右する。このような機能は、ハードウェア、ソフトウェア、ファームウェア、またはその組み合わせを用いて実現することができる。ＡＦ  ＤＡＳＰ１０１の特定的な構成は、記載したコンポーネントよりも少ないコンポーネント、多いコンポーネント、または異なるコンポーネントを含んでもよい。更に、広告資金提供データー・アクセス・トランザクションを容易にするコンピューター・プログラムが、インターネットワーキングを定める周知のスタックの任意のレイヤというような、通信プロトコル・スタックのいずれのレイヤ、即ち、レイヤ１、物理レイヤ；レイヤ２、データー・リンク・レイヤ；レイヤ３、ネットワーク・レイヤ；レイヤ４、トランスポート・レイヤ；レイヤ５、セッション・レイヤ；レイヤ６、プレゼンテーション・レイヤ、およびレイヤ７、アプリケーション・レイヤにおいて動作してもよいことは言うまでもない。
【００２６】
図示のように、ＡＦ  ＤＡＳＰ１０１は、ネットワーク・インターフェース２０４、データー・アクセス・サービス・ハンドラー２０６、および広告コンテンツ・ハンドラー２０８を更に含む通信マネージャ２０２、関連付けマネージャ２０９、消費マネージャ２１１、対価交換マネージャ２１３、ＤＲＭエンジン２１６、個人情報管理エンジン２１４、ならびにデーター項目１１５、ディジタル広告コンテンツ１０２、広告関連付け判断基準２２０、ユーザー個人情報２２２、口座残高２３２を有する対価交換口座２３０（対価交換マネージャ２１３と関連付けて論ずる）、広告消費データー１１３（消費マネージャ２１１と関連付けて論ずる）、およびサービス・アクセス・データー１１２（同様に、消費マネージャ２１１と関連付けて論ずる）を格納する１つ以上の情報レポジトリ２１８を含む。情報レポジトリ２１８は、種々のタイプおよび構成のコンピューター読み取り可能媒体４０４（図４と関連付けて、以下で更に論ずる）を用いて実現することができる。ＡＦ  ＤＡＳＰ１０１は、セキュリティ・セッション管理コンポーネント（図示せず）を含むことができ、これは項目（対価交換口座）へのアクセス、および／またはハッカーまたは有害ソフトのような悪意の存在に対抗してＡＦ  ＤＡＳＰ１０１を通じてデーターを伝達する方法の安全を確保する。
【００２７】
最初に、情報レポジトリ２１８に格納されているある種の情報を参照すると、広告関連付け判断基準２２０は、どのディジタル広告コンテンツ１０２を広告コンテンツ源１５５からいつ、そしてどのようにして取得するか、どのディジタル広告コンテンツ１０２を個々のパーソナル電子デバイス１０５、１０７にいつ、そしてどのようにして送信するか、ならびにどのディジタル広告コンテンツ１０２がユーザー１１１にいつ、そしてどのように提示可能かに関する意思決定に使用可能な情報を含む。一般に、広告関連付け判断基準２２０は、ディジタル広告の個人またはグループへの絞り込みを強める。広告関連付け判断基準２２０は、広告コンテンツ源１５５から受信してもよく、特定のサーバーまたはデバイスに予めプログラミングしておくあるいはこれらによって発生してもよく、あるいは第三者（データー・アクセス・サービス・プロバイダーまたはその他の第三者のような第三者）から受信してもよい。想定場面の１つでは、広告関連付け判断基準２２０は、ディジタル広告コンテンツ１０２と共に、またはこれとは別個に送信されるメタデーターの形態をなす。広告関連付け判断基準２２０は、予め決めておいてもよく、あるいはＡＦ  ＤＡＳＰ１０１の動作に基づいて修正してもよい。尚、事実上無制限の広告関連付け判断基準２２０およびその組み合わせが定義可能であることは認められよう。
【００２８】
広告関連付け判断基準２２０の例には、ユーザー１１１に関する情報（ユーザー・プロファイル、ユーザーの好み、ユーザー個人情報２２２、ＡＦ  ＤＡＳＰ１０１またはその他のサービスに関するユーザーの以前の活動に基づいて収集した情報、およびユーザー・コミュニティ、バディ・リスト、またはサービス加入によって判断されるユーザーの他の人またはサービスとの連携のような情報）、業務規則（個々のディジタル広告が広告コンテンツ源１５５から利用可能となる条件を指定する規則、広告主の好み／規制を反映するバンドリング(bundling)またはプレゼンテーション規則、個々のディジタル広告が消滅する条件を指定する規則、利用可能なディジタル広告を入手するための命令（広告コンテンツ源１５５によって提供される場所から、ディジタル広告をＡＦ  ＤＡＳＰ１０１にプッシュするのか、またはＡＦ  ＤＡＳＰ１０１によってプルされるのかというような命令）、および広告コンテンツ源１５５に対する、ある種の判断基準を満たすディジタル広告の要求を統制する規則のような規則）、時間的基準(temporal reference)（時刻、日付、または時間帯データーのような基準）、データー項目１１５に関する情報、パーソナル電子デバイス１０５、１０７の特性（識別番号、デバイス・タイプ、宛先アドレス、処理能力、ネットワーク接続能力、およびメモリー能力のような特性）、ならびに通信ネットワーク１１０の特性（ネットワーク・アクセス・プロトコル、ネットワーク・レイテンシ、ネットワーク可用性、ネットワーク帯域幅、ネットワーク使用レベル、ネットワーク信頼性、およびネットワーク使用コストのような特性）が含まれるが、これらに限定されるのではない。プライバシーの懸念に取り組むために、ユーザーは、情報が収集されユーザー・プロファイルに含まれているか否か、および／またはどのような情報が収集されユーザー・プロファイルに含まれているかについて管理することができるとよく、更に、このような情報がどのように、または誰によって用いられたかまたはアクセスされたかについても管理することができるとよい。
【００２９】
ユーザー個人情報２２２は、発行者（ユーザー１１１またはその他のエンティティ）が有効であると断言(assert)した、ユーザー１１１および／またはパーソナル電子デバイス１０５、１０７に関する情報群を表す。これらの情報群をまとめて「クレーム」と呼ぶことにする。個人情報管理エンジン２１４（以下で更に論ずる）は、ユーザー個人情報２２２の管理を責務とする。
【００３０】
再度ＡＦ  ＤＡＳＰ１０１のコンポーネントを参照すると、通信マネージャ２０２は、接続デバイス(connectivity device)またはコンピューター実行可能命令のような、デバイス内またはデバイス間通信を可能にする１つ以上の物理的または論理的エレメントを含む。例えば、通信マネージャ２０２は、ＷＡＮベースＡＦ  ＤＡＳＰ１０１（またはその他のＷＡＮベースサービス）とクライアント側ＡＦ  ＤＡＳＰ１０１との間、２つのクライアント側ＡＦ  ＤＡＳＰ１０１、またはＷＡＮベースＡＦ  ＤＡＳＰ１０１と別のＷＡＮベースサービスとの間における通信を容易にすることができる。
【００３１】
ネットワーク・インターフェース２０４は、任意の既知の通信モデルまたは今後開発される通信モデルと関連のある通信プロトコルのような、通信プロトコルのレイヤをデーターが横断する際に、特定のデバイスによるこのようなデーターの受信および処理を責務とする。通信モデルの一例には、周知の抽象モデルがあり、インターネットワーキング、即ち、レイヤ１、物理レイヤ；レイヤ２、データー・リンク・レイヤ；レイヤ３、ネットワーク・レイヤ；レイヤ４、トランスポート・レイヤ；レイヤ５、セッション・レイヤ；レイヤ６、プレゼンテーション・レイヤ、およびレイヤ７、アプリケーション・レイヤを定義する。したがって、ネットワーク・インターフェース２０４は、データー・インターフェース、動作支援インターフェース、無線周波数インターフェース、等を含むことができる（例えば、ルータ、スイッチ、モデム、あるいはその他のネットワーク接続支援デバイスまたはソフトウェアによって実現する）。
【００３２】
データー・アクセス・サービス・ハンドラー２０６は、ＡＦ  ＤＡＳＰ１０１の特定の実現例が、特定のデーター・アクセス・サービス１２７を用いて行われるデーター・アクセス・トランザクションに関する情報を交換する目的で、その特定のデーター・アクセス・サービスと通信する方法を定める。可能な一実現例では、複数のプラガブル・データー・アクセス・サービス・アダプタを定める。代替実現例では、全てのデーター・アクセス・サービス１２７によって総合的にサポートされる具体的なアダプタを定める。通信は、ＡＦ  ＤＡＳＰ１０１または具体的なデーター・アクセス・サービスによって開始することができ、データー・プッシュまたはプル技法を採用することができる。
【００３３】
広告源ハンドラー２０８は、ＡＦ  ＤＡＳＰ１０１が１つ以上の広告コンテンツ源１５５と通信する方法を定める。このような通信は、ＡＦ  ＤＡＳＰ１０１または特定の広告コンテンツ源によって開始することができ、データー・プッシュまたはプル技法を採用することができる。想定場面の１つでは、ネットワーク側広告源ハンドラー２０８は、ある種のディジタル広告コンテンツ１０２を広告コンテンツ源１５５から入手し、ディジタル広告コンテンツのパーソナル電子デバイス１０５、１０７への転送のための取り決めを行うことを責務とする。別の想定場面では、ネットワーク側および／またはクライアント側広告源ハンドラー２０８は、ある種の広告コンテンツ１０２の広告コンテンツ源１５５からパーソナル電子デバイス１０５、１０７への直接転送を容易にすることができる。広告関連付け判断基準２２０は、広告源ハンドラー２０８の機能と合わせて用いることができる。尚、広告コンテンツ源１５５は、種々のフォーマット、通信プロトコル、または技法を用いて、ディジタル広告コンテンツ１０２のエンコード処理を行うこと、および／またはディジタル広告コンテンツ１０２を通信ネットワーク１１０を通じて移送することができることは認められよう。
【００３４】
関連付けマネージャ２０９は、ユーザー１１１への提示のため、そしてオプションとしてディジタル広告コンテンツを個々のパーソナル電子デバイス１０５、１０７に送信するための取り決めを行うことを責務とする。ディジタル広告コンテンツ１０２は、パーソナル電子デバイス１０５、１０７に、データー・アクセス・サービス１２７を通じて実行される個々のデーター・アクセス・トランザクションの主題であるデーター項目１１５とは別個に、またはこのようなデーター項目１１５と一緒に送信することができる。データー項目１１５とは別個に受信する場合、ディジタル広告コンテンツ１０２を種々の方法で（例えば、広告関連付け判断基準２２０に基づいて）パーソナル電子デバイス１０５、１０７上においてキャッシュし、連結することができる。データー・アクセス・トランザクション、およびディジタル広告コンテンツの個々のパーソナル電子デバイスへの送信の双方は、種々のプロトコルまたは技法を用いて、通信ネットワーク１１０を通じて遂行／実行することができる。数ある上位プロトコルまたは技法の例には、インターネット・プロトコル、移動体データー送信プロトコル、ケーブル送信プロトコル、空中ブロードキャスティング・プロトコル、および衛星送信プロトコルが含まれるが、これらに限定されるのではない。
【００３５】
オプションとして、具体的なディジタル広告コンテンツ１０２が、データー・アクセス・サービス１２７を通じて実行されるデーター・アクセス・トランザクションの主題である具体的なデーター項目１１５と関連付けられる。実現例の一例では、関連付けマネージャ２０９は、データー・アクセス・サービス１２７を通じてアクセスされるデーター項目１１５のフローを監視し、アクセスするデーター項目の特性（タイプ、サイズ、発生源、宛先等）を特定し、メタデーター・タグおよび／またはディジタル広告を、データー項目がアクセスされるに連れて、これらと動的に関連付けるように構成されている。このように、アーキテクチャ１００内部の種々の場所において、ディジタル広告コンテンツ１０２は、アクセスされるデーター項目１１５と関連付けることができ、あるいは具体的なデーター項目１１５にディジタル広告コンテンツ１０２のタグを付けることができる。想定場面の１つでは、ある種のデーター・アクセス・サービス１２７を通じてアクセスされるデーター項目１１５の供給源（または目標／受信側）としての役割を果たすパーソナル電子デバイス内にあるＡＦ  ＤＡＳＰ１０１は、アクセスしたデーター項目の中にあるディジタル広告を関連付けるか、またはアクセスしたデーター項目に、ディジタル広告に関するメタデーターのタグを付けることができる。別の想定場面では、ＷＡＮベースＡＦ  ＤＡＳＰ１０１、広告コンテンツ源１５５、またはデーター・アクセス・サービス１２７のようなネットワーク側サービスが、アクセスしたデーター項目１１５の中にあるディジタル広告を関連付けるか、またはアクセスしたデーター項目にメタデーターのタグを付けることができる。ディジタル広告の具体的なデーター項目１１５との関連付けは、種々の既知の技法および未だ知られていない技法によって行うことができる。場合によっては、関連付けマネージャ２０９が、外部データーベースの使用により、ディジタル広告コンテンツ１０２と具体的なデーター項目１１５との間にリンクを維持してもよい。代替実施形態では、関連付けマネージャは、データー項目１１５と関連付けられているメタデーターを、ディジタル広告コンテンツの関連する断片に関する情報によって更新することができる。ディジタル広告コンテンツ１０２をデーター項目１１５の中に埋め込むこともできる（例えば、写真を透かしにする）。
【００３６】
消費マネージャ２１１は、広告消費データー１１３およびサービス・アクセス・データー１１２を扱うことを責務とする。
【００３７】
広告消費データー１１３は、ディジタル広告コンテンツ１０２のユーザー１１１による消費を監視することによって入手する。一般に、広告関連付け判断基準２２０（再生規則のような判断基準）が、いつそしてどのように所要のディジタル広告コンテンツ１０２をユーザー１１１に、パーソナル電子デバイス１０５、１０７によって提示するか指定する。所要のディジタル広告コンテンツは、受動的に消費されればよく（例えば、ユーザー・ディスプレイの背景に表示される）、一方他のディジタル広告コンテンツは能動的に消費することができる（ユーザーのクリック動作を通じてというように）。パーソナル電子デバイス１０５、１０７の動作環境では、消費マネージャ２１１は、ユーザー・インターフェース・エレメントまたはパーソナル電子デバイス１０５、１０７上で走るアプリケーションからの要求に応答して、要求元コンポーネントによって使用可能な形態の広告を提供する。一旦広告が提示されたなら、コンポーネントは消費マネージャ２１１に、安全に、広告が提示されたことを通知し、消費マネージャ２１１は、いつディジタル広告がユーザー１１１に提示されたかに関する情報を、ユーザー１１１の特定のディジタル広告との相互作用（何らかの相互作用が行われる場合には）によって得られた情報と共に記録する。広告消費データー１１３は、オプションとして、ネットワーク側サーバーに送信され（ネットワーク接続サーバー１０３内にあるＡＦ  ＤＡＳＰ１０１、広告コンテンツ源１５５、データー・アクセス・サービス１２７、またはその他の第三者サービス）、そこで、個人またはグループに対する広告の絞り込み強化、市場研究、業務連携の形成、またはその他の目的というような、種々の目的に用いることができる。
【００３８】
サービス・アクセス・データー１１２は、データー・アクセス・サービス１２７のユーザー１１１による消費を監視することによって入手する。消費マネージャ２１１は、多数の現在知られている方法または未だ知られていない方法の内任意のものを用いて、ユーザー１１１がどのように、データー・アクセス・サービス１２７からのデーターを消費したのか判断することができる。場合によっては、消費マネージャ２１１は、データー・アクセス・サービス１２７を用いて交換した情報量（例えば、バイト数のカウント、またはその他の形式の測定）を単純に監視するように構成することもできる。あるいは、消費マネージャ２１１には、データー・アクセス・サービス・ハンドラー２０６によって、消費データー量を通知してもよい。パーソナル電子デバイス１０５、１０７の動作環境では、消費マネージャ２１１が、データー・アクセス・トランザクションのある種の態様に関する情報（データー・アクセス・サービス・ハンドラー２０６からの情報のような情報）を記録する。サービス・アクセス・データー１１２は、オプションとして、ネットワーク側サービスに送信される（ネットワーク接続サーバー１０３内にあるＡＦ  ＤＡＳＰ１０１、広告コンテンツ源１５５、データー・アクセス・サービス１２７、またはその他の第三者サービス）。
【００３９】
対価交換マネージャ２１３は、広告消費データー１１３およびサービス・アクセス・データー１１２を受信し、これらに基づいて、ユーザー１１１と特定のデーター・アクセス・サービス２７のプロバイダーとの間における対価の交換を、対価交換口座２３０に記録する。尚、関与するユーザーおよびデーター・アクセス・サービスの数に応じて、１つ以上の対価交換口座２３０を用いてもよいことは認められよう。また、対価交換口座２３０は、限定ではなく、ネットワーク・サーバー１０３（口座２３０の恩恵を得るためには、ホスト・サーバーは不要である）およびパーソナル電子デバイス１０５、１０７を含む、種々の場所に配してもよいこと、異なるデーター・アクセス・サービスが同じ口座２３０を利用してもよいこと、そして種々のアカウント／情報を柔軟に調整してもよい(reconcile)ことも認められよう。交換口座２３０は、高価値の資産を表し、多数の現在既知のセキュリティ技法または未知のセキュリティ技法の内任意のものを用いて、ハッカーまたは有害ソフトのような悪意の存在に対抗して交換口座２３０を保護することが望ましい。
【００４０】
対価は、一方の当事者が他方の当事者に、ある行為または約束と交換に与える何らかの価値である。ディジタル広告コンテンツ１０２を用いてユーザー１１１による特定のデーター・アクセス・サービス１２７の使用に資金提供するというコンテキストでは、ユーザー１１１によって与えられる対価は、広告消費（または広告を消費する約束）であり、これは広告消費データー１１３に関して表現することができる。サービス・プロバイダーによって与えられる対価は、データー・アクセス・サービスの使用（または、データー・アクセス・サービスを提供する約束）であり、サービス・アクセス・データー１１２に関して表現することができる。例えば、広告消費データー１１３およびサービス・アクセス・データー１１２は、任意の所望の方式またはアルゴリズムにしたがって、対価の単位に変換することができる。一般に、対価交換口座２３０の口座残高は、広告消費データー１１３およびサービス・アクセス・データー１１２双方と関連がある対価の単位に基づいて調節する（口座２３０の性質および／または該当する当事者に応じて、借方記入または貸方記入する）。種々の調節の具体的な量は、実現例の優先順位(preference)、および／またはＡＦ  ＤＡＳＰ１０１を用いた当事者間の交渉の問題である。このように、対価口座２３０は、ユーザー１１１によるデーター・アクセス・サービス１２７の使用に、広告コンテンツ源１５５が資金提供するための媒体としての役割を果たす。しかしながら、対価は、他の形態（金銭の支払いまたは金銭を支払う約束、あるいは兌換可能な品目の提供または兌換、割引、サービス等のような形態）もなし得ることは認められよう。
【００４１】
図２に示すＡＦ  ＤＡＳＰ１０１を再度参照すると、ＤＲＭエンジン２１６は、ＡＦ  ＤＡＳＰ１０１の動作の態様を適用範囲とするディジタル使用許諾の獲得を可能にするように動作可能なあらゆるディジタル権利管理システムまたは技法を表す。
【００４２】
個人情報管理エンジン２１４は、デバイス間における信頼のレベルを確立することを責務とする。認証および許可方式によって、デバイス間において信頼を確立するために利用可能な多数の周知の技法がある。認証とは、ユーザーを特定するプロセスである。許可とは、どの種類または品質の活動、リソース、またはサービスにアクセスすることをユーザーに許可するかに関する方針を施行するプロセスである。場合によっては、認証が許可プロセスを包含してもよい。一般に、個人情報管理エンジン２１４は、ユーザー個人情報２２２を表し、個人情報提供元間における通信を行い、当事者同士を中継し、対象を特定し、クレームを扱うためにしかるべきプロトコル（群）を用いることに備える。実現例の一例では、ＡＦ  ＤＡＳＰ１０１は、ＡＦ  ＤＡＳＰ１０１、ディジタル広告コンテンツ１０２、データー項目１１５、および／またはデーター・アクセス・サービス１２７の機構(features)へのアクセス量を変化させることを達成するために、ユーザー１１１と関連のある特定の個人情報の選択を容易にする。個人情報は、手動または自動で選択することができる。
【００４３】
引き続き図１および図２を参照し、図３は、ディジタル広告コンテンツ１０２のような、広告を用いて、特定のデーター・アクセス・サービス１２７のような、データー・アクセス・サービスの使用に資金提供する方法のある種の態様を示すフローチャートである。本方法の態様は、パーソナル電子デバイス、および／または通信アーキテクチャ１００内にある１つ以上のネットワーク接続サーバーによって用いることができる。本方法は、１つ以上の汎用多目的、または単一目的プロセッサー（コンピューター実行可能命令４０６およびプロセッサー４０２の例については、図４と関連付けて以下で更に論ずる）によって実行するコンピューター実行可能命令を用いると実現することができる。ある種の方法ステップは、クライアント側の行為、ネットワーク側の行為、または双方によって実行することができる。特に述べない限り、本明細書に記載する方法は、特定の順序やシーケンスに規制されず、本方法またはそのエレメントは、同時に行われる、即ち、実行することができ、記載するステップの全てを行う必要もない。
【００４４】
例示的な目的に合わせて、携帯用電子デバイス（「ＰＥＤ」）１０５のユーザー１１１がデーター同期サービス１２７を用いて、消費者電子デバイス１０７（ＰＣと呼ぶ）上に位置するデーター項目１１５を携帯用電子デバイス１０５に同期させる場合における、１つのデーター・アクセス・トランザクションについて論ずる。データー同期サービスは、ＰＥＤ１０５およびＰＣ１０７双方における動作に合わせて構成されており、その態様は、インターネット・サービスとしても実現することができる。尚、携帯用電子デバイス１０５およびＰＣ１０７双方は、インターネットを通じて直接または代理通信（互いとのそして他のデバイスまたはサービスとの通信）に用いることができるＩＰアドレスを所有し、ポート番号がそれぞれのデーター同期サービスおよびＡＦ  ＤＡＳＰ１０１に割り当てられていると仮定する。
【００４５】
フローチャートの説明に先立って注記すべきは、複数の関与者を有するあらゆるタイプのデーター・アクセス・トランザクションに関してだけでなく、特に、前述のデーター・アクセス・トランザクション例に関して、このようなトランザクションにおける関与者間にある信頼レベルを確立することが望ましい（初期状態、そしてトランザクション全体におけるその他の任意の所望時点において）場合があることである。このような信頼性は、現在知られているまたは今後開発される認証、許可、またはアカウンティング（「ＡＡＡ」）活動の任意のものを用いて確立することができる。トランザクション例のコンテキストでは、ユーザー１１１は特定のユーザー個人情報２２２（ＰＥＤ１０５が提供するユーザー・インターフェースを通じて多数の可能な個人情報の中から選択する）を、ＰＣ１０７および／またはしかるべきネットワーク側サービスに提示することができ、特定のユーザー個人情報の検証時に、データー項目１１５／データー・アクセス・サービス１２７に対する種々のレベルのアクセスを付与することができる。自己発行することができ、および／またはＡＡＡ／ＤＲＭサーバー１８０を通じて検証可能な１つ以上のクレームは、一般に、各ユーザー個人情報２２２と関連のある情報の項目に関して行われる（情報の項目およびクレームを合わせて「クリーデンシャル」(credential)と呼ぶ）。
【００４６】
これよりフローチャートに移ると、本方法はブロック３００において開始し、ブロック３０２に進み、ここでＰＥＤ１０５のユーザー１１１、所望のデーター・アクセス・サービス（データー同期サービス）、およびアクセスすべきデーター項目を特定する。
【００４７】
尚、ユーザー１１１、ＰＥＤ１０５、ＰＣ１０７、およびデーター項目１１５は特定されており、あらゆる所望のＡＡＡ活動の実行が成功したと仮定する。また、ＰＥＤ１０５とＰＣ１０７の間には、ＰＣ１０７からＰＥＤ１０５に選択したデーター項目１１５を移送する目的で、直接または代理通信セッション１９９が確立されている（通信セッション１９９は、現在公知のまたは今後開発される所望のプロトコルまたは技法の任意のものを用いて確立することができる）。
【００４８】
ブロック３０４において、ディジタル広告コンテンツ１０２を特定する、および／またはデーター・アクセス・トランザクションと関連付ける。一般に、関連付けマネージャ２０９は、ＰＥＤ１０５を通じてのユーザー１１１への提示のために、ディジタル広告コンテンツ１０２を特定するために、広告関連付け判断基準２２０を用いることを責務とする。例えば、再生規則が、ある種のディジタル広告コンテンツがＰＥＤ１０５によって再生可能なときを指定することができる。ディジタル広告コンテンツ１０２は、自動的に入手すること、要求すること、またはその組み合わせで入手することができる（例えば、ディジタル広告コンテンツ１０２は、ネットワーク側サービスによって自動的にまたは手動でプッシュするまたはネットワーク側サービスからプルすることができ、広告の消失時または受信の誤りのときのように、種々の理由のために特殊な要求を行うこともできる）。ディジタル広告コンテンツ１０２は、ＰＣ１０７とＰＥＤ１０５との間で同期されているデーター項目１１５と特定的に関連付けても、関連付けなくてもよい。ディジタル広告コンテンツ１０２が同期データー項目１１５と特定的に関連付けられているか否かには関わらず起こる可能性がある想定場面の１つでは、ディジタル広告コンテンツ１０２をデーター項目１１５とは別個に送信する。例えば、該当するディジタル広告コンテンツ１０２は、既にＰＥＤ１０５に送信され、広告関連付け判断基準２２０に基づいて、ＰＥＤ１０５上でキャッシュされ連携されていてもよく、または実行中にＰＥＤ１０５に送信してもよい。
【００４９】
具体的なディジタル広告コンテンツ１０２を同期データー項目１１５と関連付けようとする場合、このような関連付けは、アーキテクチャ１００内における種々の場所において実行することができる。例えば、通信セッション１９９を監視することができ、ＰＣ１０７、ネットワーク側サービス（ＷＡＮベースＡＦ  ＤＡＳＰ１０１、広告コンテンツ源１５５、または同期サービスのようなサービス）、またはＰＥＤ１０５によって、メタデーター・タグおよび／またはディジタル広告を同期データー項目１１５と動的に関連付けることができる。このように、ディジタル広告コンテンツ１０２を、アクセスしたデーター項目１１５と関連付けることができ、あるいは具体的なデーター項目１１５に、ディジタル広告コンテンツ１０２に対する関連付けのタグを付けることもできる。
【００５０】
次に、ブロック３０６、３０８、および３１０に示すように、口座残高２３２を有する対価交換口座２３０のような口座にアクセスし、データー項目１１５にアクセスするとき、およびユーザー１１１がディジタル広告コンテンツ１０２を消費するときに、口座残高を調節する。
【００５１】
一般に、消費マネージャ２１１は、ユーザー１１１によるディジタル広告コンテンツ１０２の消費時に、広告消費データー１１３を発生することを責務とする。広告提示システムおよび技法については本明細書では詳しく論じないが、ある種のディジタル広告コンテンツは受動的に消費さればよく（例えば、ユーザー・ディスプレイの背景に表示される）、一方他のディジタル広告コンテンツは能動的に消費することができる（ユーザーのクリック動作を通じてというように）ことは認められよう。広告コンテンツを提供するために、提示サービスが消費マネージャ２１１と通信して、その提示モデルに適した広告を要求する。例えば、ＰＥＤ１０５の画面をオンにしたときに、ＰＥＤ１０５の背景テーマ・コンポーネントが、消費マネージャ２１１に広告画像を要求することができる。一旦提示サービスが完了して広告を示すと、広告消費マネージャ２１１に安全確実に通知し、広告消費データー１１３を更新する。また、広告消費マネージャ２１１は、ユーザー１１１によるデーター・アクセス・サービス１２７の消費を監視することによって、サービス・アクセス・データー１１２を発生することも責務とする。このデーター・アクセス・トランザクション例では、同期トランザクションのある種の態様（ＰＥＤ１０５によるデーター項目の受信のような態様）を、同期サービスと関連のあるデーター・アクセス・サービス・ハンドラー２０６によって監視して（１つ以上のデバイスにおいて）、サービス・アクセス・データー１１２の作成を誘起することができる。
【００５２】
尚、ある種のＤＲＭ活動（しかるべきディジタル使用許諾を付与するまたは取得するというような）は、行使可能な知的所有権によって保護されているデーター項目を、関連するデーター・アクセス・サービスを通じて、選択するおよび／またはアクセスする前または後に実行してもよいことは認められよう。想定場面の１つでは、ＤＲＭ技術を用いると、ある種のディジタル広告コンテンツ１０２がユーザー１１１によって消費されるまで、ある種のデーター項目１１５へのアクセスを規制することができる。
【００５３】
対価交換マネージャ２１３は、広告消費データー１１３およびサービス・アクセス・データー１１２に基づいて、対価交換口座２３０の残高２３２を調節する（借方記入または貸方記入する）ことを責務とする。尚、対価交換口座２３０は、限定ではなく、ネットワーク接続サーバー１０３（しかし、ホスト・サーバーは口座２３０の恩恵を受ける必要はない）およびパーソナル電子デバイス１０５、１０７を含む、種々の場所に配置できることは認められよう。また、対価交換口座２３０は、種々の方法でそして種々の時点に（例えば、リアル・タイムで、キャッシュ・モード、バッチ・モードで、または別の周期的なスケジューリング技法を用いて）調整するとよいこと、そしてユーザー１１１および／またはデーター・アクセス・サービス・プロバイダーからの他の形態の対価によって、口座残高２３２の調節が行われるようにしてもよいことも認められよう。単純な口座の借方記入および貸方記入を超えて対価交換口座２３０を調整するためには、ＡＦ  ＤＡＳＰ１０１が余分な処置を行わなければならないこともあることは認められよう。例えば、広告を見ることによって受け取る対価の額が、データー・アクセス・サービス１２７を通じてデーター項目１１５を受信することによって要求される対価の額に等しくなるまで、データー・アクセス・サービス１２７へのアクセスを規制してもよい。
【００５４】
このように、対価口座２３０は、ユーザー１１１によるデーター・アクセス・サービス１２７の使用に、広告コンテンツ源１５５が資金提供するための媒体としての役割を果たす。ＡＦ  ＤＡＳＰ１０１および本明細書において記載する技法は、広告主、コンテンツ／データー・アクセス・サービス・プロバイダー、ネットワーク運営業者、およびパーソナル電子デバイスのユーザーによって使用可能であり、商業的に有益である。ユーザーは、ディジタル広告コンテンツを種々のプロバイダーおよび／またはネットワーク運営業者から受けることができ、彼らの広告費用を柔軟に使うことができる。データー・アクセス・サービスは、使用範囲拡大を達成し、収益増大を実現することができる。ユーザーのディジタル広告コンテンツ消費に関する情報は、容易に収集し使用される。対話型広告(interactive advertising)、混合フォーマットおよび代替メディア・タイプ、ならびに最新広告の挿入というような広告技法が可能となる。
【００５５】
引き続き図１から図３を参照しつつ、図４は、ＡＦ  ＤＡＳＰ１０１および／または図３と関連付けて示し論じた方法の全てまたは一部を実施または使用することができる動作環境４００の構成例のブロック図である。動作環境４００は、概略的に、多種多様な汎用または特殊目的計算環境を示し、本明細書に記載するシステム（群）および方法の使用または機能性の範囲に関して何の限定も示唆することは意図していない。例えば、動作環境４００は、パーソナル電子デバイス１０５、１０７であってもよい。また、動作環境４００は、サーバーのような、ネットワーク側動作環境であってもよい。
【００５６】
図示のように、動作環境４００は、プロセッサー４０２、コンピューター読み取り可能媒体４０４、およびコンピューター実行可能命令４０６を含む。広く入手可能なエレメントである１つ以上の内部バス４２０を用いて、データー、アドレス、制御信号、およびその他の情報を、動作環境４００またはそのエレメント内部、あるいはこれらの間で双方向に搬送することができる。
【００５７】
プロセッサー４０２は、実在のプロセッサーまたは仮想プロセッサーでもよく、コンピューター実行可能命令４０６を実行することによって、動作環境４００の機能を制御する。プロセッサー４０２は、アセンブリ、コンパイル、または機械語レベルで命令４０６を実行して個々のプロセスを遂行する。
【００５８】
コンピューター読み取り可能媒体４０４は、現在公知のまたは今後開発されるあらゆる形態で、コンピューター実行可能命令４０６、広告関連付け判断基準２２０、ユーザー個人情報２２２、サービス・アクセス・データー１１２、広告消費データー１１３、データー項目１１５、ディジタル広告コンテンツ１０２、および対価交換口座２３０のような、コンピューター読み取り可能データーを記録、格納、または送信することができる、任意の数のローカルまたはリモート・デバイスおよびその組み合わせを表す。即ち、コンピューター読み取り可能媒体４０４は、半導体メモリー（例えば、リード・オンリ・メモリー（「ＲＯＭ」）、あらゆる種類のプログラマブルＲＯＭ（「ＰＲＯＭ」）、ランダム・アクセス・メモリー（「ＲＡＭ」）、またはフラッシュ・メモリーのような半導体メモリー）、磁気記憶デバイス（フロッピ・ディスク・ドライブ、ハード・ディスク・デバイス、磁気ドラム、磁気テープ、または光磁気ディスクのような磁気記憶デバイス）、光記憶デバイス（あらゆる種類のコンパクト・ディスクまたはディジタル・バーサタイル・ディスクのような光記憶デバイス）、バブル・メモリー、キャッシュ・メモリー、コア・メモリー、ホログラフ・メモリー、メモリー・スティック、紙テープ、パンチ・カード、あるいはその任意の組み合わせとすればよく、あるいはこれらを含んでもよい。また、コンピューター読み取り可能媒体４０４は、送信媒体およびそれに関連するデーターも含むことができる。送信媒体／データーの例には、変調したキャリア信号によって搬送されるパケット化データーまたは非パケット化データーのような、ワイヤラインまたはワイヤレス送信の任意の形態で具現化されるデーターが含まれるが、これらに限定されるのではない。
【００５９】
コンピューター実行可能命令４０６は、あらゆる信号処理方法または格納命令を表す。一般に、コンピューター実行可能命令４０６は、コンポーネントに基づくソフトウェア開発のための周知の慣例に応じてソフトウェア・コンポーネントとして実装され、コンピューター読み取り可能媒体（コンピューター読み取り可能媒体４０４のような媒体）にエンコードされる。コンピューター・プログラムは、種々の方法で組み合わせること、または分散することができる。しかしながら、コンピューター実行可能命令４０６は、コンピューター・プログラムのいずれの具体的な実施形態による実現例にも限定されず、他方では、ハードウェア、ソフトウェア、ファームウェア、またはその組み合わせで実装または実行することができる。
【００６０】
図示のように、ある種のコンピューター実行可能命令４０６は、通信マネージャ２０２の態様を実現する通信機能４８２を実現し、ある種のコンピューター実行可能命令４０６は、ＤＲＭエンジン２１６の態様を実現するＤＲＭ機能４８６を実現し、ある種のコンピューター実行可能命令４０６は、個人情報管理エンジン２１４の態様を実現するＩＤ管理機能４８４を実現し、ある種のコンピューター実行可能命令４０６は、関連付けマネージャ２０９の態様を実現する関連付け機能４８８を実現し、ある種のコンピューター実行命令４０６は、消費マネージャ２１１の態様を実現する消費管理機能４９２を実現し、ある種のコンピューター実行可能命令４０６は、対価交換マネージャ２１３の態様を実現する対価交換機能４９４を実現する。
【００６１】
ユーザー・インターフェース４１６は、ユーザーが個々のアプリケーションまたはデバイスと相互査証する方法を定める物理的または論理的エレメントである。一般に、提示ツールを用いて、ユーザーからの入力を受信し、またはユーザーに出力を供給する。物理的提示ツールの一例は、モニタ・デバイスのようなディスプレイである。論理的提示ツールの一例は、データー編成技法（ウィンドウ、メニュー、またはそのレイアウトのようなデーター編成技法）である。制御は、ユーザーからの入力の受信を容易にする。物理的制御の一例は、リモコン、ディスプレイ、マウス、ペン、スタイラス、マイクロフォン、キーボード、トラックボール、または走査デバイスのような入力デバイスである。倫理的制御の一例は、データー編成技法であり、これを通じてユーザーはコマンドを発行することができる。尚、同じ物理的デバイスまたは論理的構造が、ユーザーへの入力およびユーザーからの出力のためのインターフェースとして機能してもよいことは認められよう。
【００６２】
通信インターフェース（群）４１８は、インターネットワーキング・モデルの１つ以上のレイヤにおいて１つ以上のプロトコルまたは技法を通じて動作環境４００による通信を可能にする、接続デバイスまたはコンピューター実行可能命令のような、１つ以上の物理的または論理的エレメントである。
【００６３】
特殊化ハードウェア４１４は、動作環境４００の機能を実現するあらゆるハードウェアまたはファームウェアを表す。特殊化ハードウェア４３０の例には、エンコーダ／デコーダ（「コデック」）、特定用途集積回路などが含まれる。
【００６４】
尚、動作環境４００またはＡＦ  ＤＡＳＰ１０１の個々の構成は、記載したコンポーネントまたは機能よりも多いまたは少ないコンポーネントまたは機能、あるいはことなるコンポーネントまたは機能を含んでもよいことは認められよう。加えて、動作環境４００またはＡＦ  ＤＡＳＰ１０１の機能的コンポーネントは、１つ以上のデバイスによって実現することができ、これらのデバイスは、種々の方法で、同じ場所に配置するか、または離れて配置する。
【００６５】
本明細書における主題は、構造的特徴および／または方法論的行為に特定的な文言で記載したが、特許請求の範囲において規定する主題は、前述の具体的な特徴または行為に必ずしも限定されないことも言うまでもない。逆に、先に記載した具体的な特徴および行為は、特許請求の範囲を実施する形態例として開示したのである。
【００６６】
更に、１つのエレメントが別のエレメントに応答するように示されている場合、これらのエレメントは直接的または間接的に結合すればよい。本明細書において図示する接続は、エレメント間においてカップリングまたは通信インターフェースを達成するために、実際には論理的でも物理的でもよい。接続は、とりわけ、ソフトウェア・プロセス間のプロセス間通信、ネットワーク接続コンピューター間の機械間通信として実現することができる。
【００６７】
「例示の」(exemplary)という用語は、本明細書では、一例、実例、または例示としての役割を果たすことを意味するために用いられている。本明細書において「例示的」として記載される実現例またはその態様はいずれも、他の実現例またはその態様よりも好ましい、または有利であるとは必ずしも解釈される訳ではない。
【００６８】
先に説明した具体的な実施形態以外の実施形態も、添付した特許請求の範囲の主旨および範囲から逸脱することなく考案することができるのは言うまでもないので、本明細書における主題の範囲は、以下の特許請求の範囲によって決定されることを意図している。
【図１】
2014029716.tif 000003
【図２】
2014029716.tif 000004
【図３】
2014029716.tif 000005
【図４】
2014029716.tif 000006
【手続補正書】
【提出日】平成25年9月25日(2013.9.25)
【手続補正１】
【補正対象書類名】特許請求の範囲
【補正対象項目名】全文
【補正方法】変更
【補正の内容】
【特許請求の範囲】
【請求項１】
コンピューター実行可能命令がエンコードされたコンピューター読み取り可能記憶デバイスであって、前記コンピューター実行可能命令がプロセッサーにより実行されると、データー・アクセス・サービスの使用に資金提供する方法を実行し、該方法が、
パーソナル電子デバイスのユーザーを特定するステップと、
前記パーソナル電子デバイスを通じてユーザーによりアクセス可能なデーター・アクセス・サービスを特定するステップと、
前記データー・アクセス・サービスを通じてユーザーにより選択されたデーター項目を特定するステップであって、選択された前記データー項目がこれに関連した対価価値を有する、ステップと、
ユーザーによる消費のために、ディジタル広告コンテンツを特定するステップであって、前記ディジタル広告コンテンツが広告源からのものでありかつこれに関連した対価価値を有し、前記ディジタル広告コンテンツが、ユーザーに能動的に提示されるコンテンツとユーザーに受動的に提示されるコンテンツを含む、ステップと、
前記ディジタル広告コンテンツを前記データー項目と関連付けるステップと、
ユーザーと前記データー・アクセス・サービスとの間における対価の交換を記録するために口座にアクセスするステップであって、前記口座が口座残高を有する、ステップと、
ユーザーが前記データー・アクセス・サービスを通じて選択された前記データー項目にアクセスするために前記パーソナル電子デバイスを使用するとき、選択された前記データー項目に関連した対価価値を反映するために、前記口座残高に借方記入するステップと、
ユーザーが関連する前記ディジタル広告コンテンツを消費するとき、前記ディジタル広告コンテンツに関連した対価価値を反映するために、前記口座残高に貸方記入するステップと、
を含み、前記口座は、前記データー・アクセス・サービスのユーザーによる使用に、前記広告源が資金提供するための媒体としての役割を果たし、前記口座残高が選択されたデーター項目の対価価値と少なくとも同じでない限り、前記データー・アクセス・サービスへのユーザーによるアクセスが制限される、コンピューター読み取り可能記憶デバイス。
【請求項２】
請求項１記載のコンピューター読み取り可能記憶デバイスにおいて、ユーザーを特定する前記ステップは、
ユーザーと関連付けられた個人情報を確認するステップと、
データー・アクセス・サービスを特定するステップ、データー項目を特定するステップ、ディジタル広告コンテンツを特定するステップ、前記ディジタル広告コンテンツを前記データー項目と関連付けるステップ、および口座にアクセスするステップの内１つ以上を、前記確認した個人情報に基づかせるステップと、
を備えた、コンピューター読み取り可能記憶デバイス。
【請求項３】
請求項１記載のコンピューター読み取り可能記憶デバイスにおいて、データー項目を特定する前記ステップは、
前記パーソナル電子デバイスを通じて受信したユーザーからの入力に基づいて、前記データー項目を特定することを含む、コンピューター読み取り可能記憶デバイス。
【請求項４】
請求項１記載のコンピューター読み取り可能記憶デバイスにおいて、選択された前記データー項目は、所定の知的所有権によって保護されており、ユーザーが前記データー・アクセス・サービスを通じて前記データー項目にアクセスするために前記パーソナル電子デバイスを使用する前に、
ディジタル権利管理技法を通じて、前記所定の知的所有権の下でユーザーに権利を付与する取り決めを行うステップを備えており、
前記付与される権利は、前記ディジタル広告コンテンツの前記ユーザーの消費を条件とする、コンピューター読み取り可能記憶デバイス。
【請求項５】
請求項１記載のコンピューター読み取り可能記憶デバイスにおいて、選択された前記データー項目は前記パーソナル電子デバイス上に格納される、コンピューター読み取り可能記憶デバイス。
【請求項６】
請求項１記載のコンピューター読み取り可能記憶デバイスにおいて、利用可能なデーター項目のカタログに選択された前記データー項目が格納され、前記カタログはＷＡＮベースのサービスによって提供される、コンピューター読み取り可能記憶デバイス。
【請求項７】
請求項１記載のコンピューター読み取り可能記憶デバイスにおいて、前記データー・アクセス・サービスは、クライアント側アプリケーションまたはネットワーク側アプリケーションを備えており、前記口座はネットワーク接続サーバーまたはクライアント側デバイス上に位置する、コンピューター読み取り可能記憶デバイス。
【請求項８】
請求項１記載のコンピューター読み取り可能記憶デバイスにおいて、前記データー・アクセス・サービスはアプリケーションを備えた、コンピューター読み取り可能記憶デバイス。
【請求項９】
請求項１記載のコンピューター読み取り可能記憶デバイスにおいて、ディジタル広告コンテンツを特定する前記ステップは、
所定の規則に基づいて、ディジタル広告を選択するステップと、
前記選択したディジタル広告をユーザーと関連付けるステップと、
を備えた、コンピューター読み取り可能記憶デバイス。
【請求項１０】
請求項１記載のコンピューター読み取り可能記憶デバイスにおいて、ディジタル広告コンテンツを前記データー項目と関連付ける前記ステップは、
ユーザーが前記データー項目にアクセスするために前記パーソナル電子デバイスを使用する前に、前記パーソナル電子デバイスによって前記関連付けるステップを実行する、
ユーザーが前記データー項目にアクセスするために前記パーソナル電子デバイスを使用した後に、前記パーソナル電子デバイスによって前記関連付けるステップを実行する、
ユーザーが前記データー項目にアクセスするために前記パーソナル電子デバイスを使用する前に、ＷＡＮベースのサービスによって前記関連付けるステップを実行する、
ユーザーが前記データー項目にアクセスするために前記パーソナル電子デバイスを使用した後に、ＷＡＮベースのサービスによって前記関連付けるステップを実行する、
ソース電子デバイスとターゲット電子デバイスとの間で前記データー項目が転送されるとき、ＷＡＮベースのサービスによって前記関連付けるステップを実行する、
から成る一群から選択した態様で実行する、コンピューター読み取り可能記憶デバイス。
【請求項１１】
請求項１０記載のコンピューター読み取り可能記憶デバイスにおいて、前記ＷＡＮベースのサービスは、前記広告源の代わりに提供されるサービス、前記データー・アクセス・サービスの代わりに提供されるサービス、および第三者サービスから成る群から選択される、コンピューター読み取り可能記憶デバイス。
【請求項１２】
請求項１記載のコンピューター読み取り可能記憶デバイスであって、更に、
前記データー・アクセス・サービスを通じて前記データー項目がアクセスされるときに、サービス・アクセス・データーを発生するステップと、
前記ディジタル広告コンテンツがユーザーに提示されるときに、広告消費データーを発生するステップと、
前記サービス・アクセス・データーおよび前記広告消費データーをデーター収集サービスに送信するステップと、
を含み、前記対価は、前記サービス・アクセス・データーに基づいて、前記データー・アクセス・サービスによって提供され、前記対価は、前記消費データーに基づいてユーザーによって提供される、コンピューター読み取り可能記憶デバイス。
【請求項１３】
請求項１２記載のコンピューター読み取り可能記憶デバイスであって、更に、
パーソナル電子デバイスを通じた前記ディジタル広告コンテンツのユーザーへの能動的または受動的提示のために取り決めを行うステップを備えた、コンピューター読み取り可能記憶デバイス。
【請求項１４】
コンピューター読み取り可能記憶媒体と、
前記コンピューター読み取り可能記憶媒体および前記コンピューター読み取り可能媒体に格納されたコンピューター実行可能命令に応答するプロセッサーであって、
パーソナル電子デバイスのユーザーを特定し、
前記パーソナル電子デバイスを通じてユーザーによりアクセス可能なデーター・アクセス・サービスを特定し、
前記データー・アクセス・サービスを通じてユーザーにより選択されたデーター項目を特定し、選択された前記データー項目がこれに関連した対価価値を有し、
ユーザーによる消費のためのディジタル広告コンテンツを特定し、前記ディジタル広告コンテンツが、広告源からのものでありかつこれに関連した対価価値を有し、前記ディジタル広告コンテンツが、ユーザーに能動的に提示されるコンテンツとユーザーに受動的に提示されるコンテンツを含み、
前記ディジタル広告コンテンツを前記データー項目と関連付け、
ユーザーとデーター・アクセス・サービスとの間における対価の交換を記録するために口座にアクセスし、前記口座が口座残高を有し、
ユーザーが前記データー・アクセス・サービスを通じて選択された前記データー項目にアクセスするために前記パーソナル電子デバイスを使用するとき、選択された前記データー項目に関連した対価価値を反映するために、前記口座残高に借方記入し、
ユーザーが関連する前記ディジタル広告コンテンツを消費するとき、前記ディジタル広告コンテンツに関連した対価価値を反映するために、前記口座残高に貸方記入する、
前記コンピューター実行可能命令を実行可能なプロセッサーと、
を備えており、前記口座が、前記データー・アクセス・サービスのユーザーによる使用に、前記広告源が資金提供するための媒体としての役割を果たし、前記口座残高が選択されたデーター項目の対価価値と少なくとも同じでない限り、前記データー・アクセス・サービスへのユーザーによるアクセスが制限される、装置。
【請求項１５】
請求項１４記載の装置において、パーソナル電子デバイスを備えた、装置。
【請求項１６】
請求項１４記載の装置において、ネットワーク接続サーバーを備えた、装置。
【請求項１７】
請求項１記載のコンピューター読み取り可能記憶デバイスにおいて、選択された前記データー項目は、所定の対価価値を有する、コンピューター読み取り可能記憶デバイス。
【請求項１８】
請求項１記載のコンピューター読み取り可能記憶デバイスにおいて、前記ディジタル広告コンテンツは、所定の対価価値を有する、コンピューター読み取り可能記憶デバイス。
【請求項１９】
請求項１４記載の装置において、選択された前記データー項目は、所定の対価価値を有する、装置。
【請求項２０】
請求項１４記載の装置において、前記ディジタル広告コンテンツは、所定の対価価値を有する、装置。
【手続補正書】
【提出日】平成25年10月22日(2013.10.22)
【手続補正１】
【補正対象書類名】特許請求の範囲
【補正対象項目名】全文
【補正方法】変更
【補正の内容】
【特許請求の範囲】
【請求項１】
コンピューター実行可能命令がエンコードされたコンピューター読み取り可能記憶デバイスであって、前記コンピューター実行可能命令がプロセッサーにより実行されると、データー・アクセス・サービスの使用に資金提供する方法を実行し、該方法が、
パーソナル電子デバイスのユーザーを特定するステップと、
前記パーソナル電子デバイスを通じてユーザーによりアクセス可能なデーター・アクセス・サービスを特定するステップと、
前記データー・アクセス・サービスを通じてユーザーにより選択されたデーター項目を特定するステップであって、選択された前記データー項目がこれに関連した対価価値を有する、ステップと、
ユーザーによる消費のために、ディジタル広告コンテンツを特定するステップであって、前記ディジタル広告コンテンツが広告源からのものでありかつこれに関連した対価価値を有する、ステップと、
前記ディジタル広告コンテンツを前記データー項目と関連付けるステップと、
ユーザーと前記データー・アクセス・サービスとの間における対価の交換を記録するために口座にアクセスするステップであって、前記口座が口座残高を有する、ステップと、
ユーザーが前記データー・アクセス・サービスを通じて選択された前記データー項目にアクセスするために前記パーソナル電子デバイスを使用するとき、選択された前記データー項目に関連した対価価値を反映するために、前記口座残高に借方記入するステップと、
ユーザーが関連する前記ディジタル広告コンテンツを消費するとき、前記ディジタル広告コンテンツに関連した対価価値を反映するために、前記口座残高に貸方記入するステップと、
を含み、前記口座は、前記データー・アクセス・サービスのユーザーによる使用に、前記広告源が資金提供するための媒体としての役割を果たし、前記口座残高が選択されたデーター項目の対価価値と少なくとも同じでない限り、前記データー・アクセス・サービスへのユーザーによるアクセスが制限され、
選択された前記データー項目は、所定の知的所有権によって保護されており、ユーザーが前記データー・アクセス・サービスを通じて前記データー項目にアクセスするために前記パーソナル電子デバイスを使用する前に、前記方法が、
ディジタル権利管理技法を通じて、前記所定の知的所有権の下でユーザーに権利を付与する取り決めを行うステップを含み、
前記付与される権利は、前記ディジタル広告コンテンツの前記ユーザーの消費を条件とする、
コンピューター読み取り可能記憶デバイス。
【請求項２】
請求項１記載のコンピューター読み取り可能記憶デバイスにおいて、ユーザーを特定する前記ステップは、
ユーザーと関連付けられた個人情報を確認するステップと、
データー・アクセス・サービスを特定するステップ、データー項目を特定するステップ、ディジタル広告コンテンツを特定するステップ、前記ディジタル広告コンテンツを前記データー項目と関連付けるステップ、および口座にアクセスするステップの内１つ以上を、前記確認した個人情報に基づかせるステップと、
を含む、コンピューター読み取り可能記憶デバイス。
【請求項３】
請求項１記載のコンピューター読み取り可能記憶デバイスにおいて、データー項目を特定する前記ステップは、
前記パーソナル電子デバイスを通じて受信したユーザーからの入力に基づいて、前記データー項目を特定することを含む、コンピューター読み取り可能記憶デバイス。
【請求項４】
請求項１記載のコンピューター読み取り可能記憶デバイスにおいて、ディジタル広告コンテンツを特定する前記ステップは、
所定の規則に基づいて、ディジタル広告を選択するステップと、
前記選択したディジタル広告をユーザーと関連付けるステップと、
を含む、コンピューター読み取り可能記憶デバイス。
【請求項５】
請求項１記載のコンピューター読み取り可能記憶デバイスであって、更に、
前記データー・アクセス・サービスを通じて前記データー項目がアクセスされるときに、サービス・アクセス・データーを発生するステップと、
前記ディジタル広告コンテンツがユーザーに提示されるときに、広告消費データーを発生するステップと、
前記サービス・アクセス・データーおよび前記広告消費データーをデーター収集サービスに送信するステップと、
を含み、前記対価は、前記サービス・アクセス・データーに基づいて、前記データー・アクセス・サービスによって提供され、前記対価は、前記消費データーに基づいてユーザーによって提供される、コンピューター読み取り可能記憶デバイス。
【請求項６】
請求項５記載のコンピューター読み取り可能記憶デバイスであって、更に、
パーソナル電子デバイスを通じた前記ディジタル広告コンテンツのユーザーへの能動的または受動的提示のために取り決めを行うステップを含む、コンピューター読み取り可能記憶デバイス。
【請求項７】
請求項１記載のコンピューター読み取り可能記憶デバイスにおいて、選択された前記データー項目は、所定の対価価値を有する、コンピューター読み取り可能記憶デバイス。
【請求項８】
請求項１記載のコンピューター読み取り可能記憶デバイスにおいて、前記ディジタル広告コンテンツは、所定の対価価値を有する、コンピューター読み取り可能記憶デバイス。
【請求項９】
コンピューター実行可能命令がエンコードされたコンピューター読み取り可能記憶デバイスであって、前記コンピューター実行可能命令がプロセッサーにより実行されると、データー・アクセス・サービスの使用に資金提供する方法を実行し、該方法が、
パーソナル電子デバイスのユーザーを特定するステップと、
前記パーソナル電子デバイスを通じてユーザーによりアクセス可能なデーター・アクセス・サービスを特定するステップと、
前記データー・アクセス・サービスを通じてユーザーにより選択されたデーター項目を特定するステップであって、選択された前記データー項目がこれに関連した対価価値を有する、ステップと、
ユーザーによる消費のために、ディジタル広告コンテンツを特定するステップであって、前記ディジタル広告コンテンツが広告源からのものでありかつこれに関連した対価価値を有する、ステップと、
前記ディジタル広告コンテンツを前記データー項目と関連付けるステップと、
ユーザーと前記データー・アクセス・サービスとの間における対価の交換を記録するために口座にアクセスするステップであって、前記口座が口座残高を有する、ステップと、
ユーザーが前記データー・アクセス・サービスを通じて選択された前記データー項目にアクセスするために前記パーソナル電子デバイスを使用するとき、選択された前記データー項目に関連した対価価値を反映するために、前記口座残高に借方記入するステップと、
ユーザーが関連する前記ディジタル広告コンテンツを消費するとき、前記ディジタル広告コンテンツに関連した対価価値を反映するために、前記口座残高に貸方記入するステップと、
を含み、前記口座は、前記データー・アクセス・サービスのユーザーによる使用に、前記広告源が資金提供するための媒体としての役割を果たし、前記口座残高が選択されたデーター項目の対価価値と少なくとも同じでない限り、前記データー・アクセス・サービスへのユーザーによるアクセスが制限され、
ディジタル広告コンテンツを前記データー項目と関連付ける前記ステップは、
ユーザーが前記データー項目にアクセスするために前記パーソナル電子デバイスを使用する前に、前記パーソナル電子デバイスによって前記関連付けるステップを実行する、
ユーザーが前記データー項目にアクセスするために前記パーソナル電子デバイスを使用した後に、前記パーソナル電子デバイスによって前記関連付けるステップを実行する、
ユーザーが前記データー項目にアクセスするために前記パーソナル電子デバイスを使用する前に、ＷＡＮベースのサービスによって前記関連付けるステップを実行する、
ユーザーが前記データー項目にアクセスするために前記パーソナル電子デバイスを使用した後に、ＷＡＮベースのサービスによって前記関連付けるステップを実行する、
ソース電子デバイスとターゲット電子デバイスとの間で前記データー項目が転送されるとき、ＷＡＮベースのサービスによって前記関連付けるステップを実行する、
から成る一群から選択した態様で実行する、
コンピューター読み取り可能記憶デバイス。
【請求項１０】
請求項９記載のコンピューター読み取り可能記憶デバイスにおいて、前記ＷＡＮベースのサービスは、前記広告源の代わりに提供されるサービス、前記データー・アクセス・サービスの代わりに提供されるサービス、および第三者サービスから成る群から選択される、コンピューター読み取り可能記憶デバイス。
【請求項１１】
請求項９記載のコンピューター読み取り可能記憶デバイスにおいて、ユーザーを特定する前記ステップは、
ユーザーと関連付けられた個人情報を確認するステップと、
データー・アクセス・サービスを特定するステップ、データー項目を特定するステップ、ディジタル広告コンテンツを特定するステップ、前記ディジタル広告コンテンツを前記データー項目と関連付けるステップ、および口座にアクセスするステップの内１つ以上を、前記確認した個人情報に基づかせるステップと、
を含む、コンピューター読み取り可能記憶デバイス。
【請求項１２】
請求項９記載のコンピューター読み取り可能記憶デバイスにおいて、データー項目を特定する前記ステップは、
前記パーソナル電子デバイスを通じて受信したユーザーからの入力に基づいて、前記データー項目を特定することを含む、コンピューター読み取り可能記憶デバイス。
【請求項１３】
請求項９記載のコンピューター読み取り可能記憶デバイスにおいて、選択された前記データー項目は、所定の知的所有権によって保護されており、ユーザーが前記データー・アクセス・サービスを通じて前記データー項目にアクセスするために前記パーソナル電子デバイスを使用する前に、
ディジタル権利管理技法を通じて、前記所定の知的所有権の下でユーザーに権利を付与する取り決めを行うステップを含み、
前記付与される権利は、前記ディジタル広告コンテンツの前記ユーザーの消費を条件とする、コンピューター読み取り可能記憶デバイス。
【請求項１４】
請求項９記載のコンピューター読み取り可能記憶デバイスにおいて、ディジタル広告コンテンツを特定する前記ステップは、
所定の規則に基づいて、ディジタル広告を選択するステップと、
前記選択したディジタル広告をユーザーと関連付けるステップと、
を含む、コンピューター読み取り可能記憶デバイス。
【請求項１５】
請求項９記載のコンピューター読み取り可能記憶デバイスであって、更に、
前記データー・アクセス・サービスを通じて前記データー項目がアクセスされるときに、サービス・アクセス・データーを発生するステップと、
前記ディジタル広告コンテンツがユーザーに提示されるときに、広告消費データーを発生するステップと、
前記サービス・アクセス・データーおよび前記広告消費データーをデーター収集サービスに送信するステップと、
を含み、前記対価は、前記サービス・アクセス・データーに基づいて、前記データー・アクセス・サービスによって提供され、前記対価は、前記消費データーに基づいてユーザーによって提供される、コンピューター読み取り可能記憶デバイス。
【請求項１６】
請求項１５記載のコンピューター読み取り可能記憶デバイスであって、更に、
パーソナル電子デバイスを通じた前記ディジタル広告コンテンツのユーザーへの能動的または受動的提示のために取り決めを行うステップを含む、コンピューター読み取り可能記憶デバイス。
【請求項１７】
請求項９記載のコンピューター読み取り可能記憶デバイスにおいて、選択された前記データー項目は、所定の対価価値を有する、コンピューター読み取り可能記憶デバイス。
【請求項１８】
請求項９記載のコンピューター読み取り可能記憶デバイスにおいて、前記ディジタル広告コンテンツは、所定の対価価値を有する、コンピューター読み取り可能記憶デバイス。
【請求項１９】
コンピューター読み取り可能記憶媒体と、
前記コンピューター読み取り可能記憶媒体および前記コンピューター読み取り可能媒体に格納されたコンピューター実行可能命令に応答するプロセッサーであって、
パーソナル電子デバイスのユーザーを特定し、
前記パーソナル電子デバイスを通じてユーザーによりアクセス可能なデーター・アクセス・サービスを特定し、
前記データー・アクセス・サービスを通じてユーザーにより選択されたデーター項目を特定し、選択された前記データー項目がこれに関連した対価価値を有し、
ユーザーによる消費のためのディジタル広告コンテンツを特定し、前記ディジタル広告コンテンツが、広告源からのものでありかつこれに関連した対価価値を有し、
前記ディジタル広告コンテンツを前記データー項目と関連付け、
ユーザーとデーター・アクセス・サービスとの間における対価の交換を記録するために口座にアクセスし、前記口座が口座残高を有し、
ユーザーが前記データー・アクセス・サービスを通じて選択された前記データー項目にアクセスするために前記パーソナル電子デバイスを使用するとき、選択された前記データー項目に関連した対価価値を反映するために、前記口座残高に借方記入し、
ユーザーが関連する前記ディジタル広告コンテンツを消費するとき、前記ディジタル広告コンテンツに関連した対価価値を反映するために、前記口座残高に貸方記入する、
前記コンピューター実行可能命令を実行可能なプロセッサーと、
を含み、前記口座が、前記データー・アクセス・サービスのユーザーによる使用に、前記広告源が資金提供するための媒体としての役割を果たし、前記口座残高が選択されたデーター項目の対価価値と少なくとも同じでない限り、前記データー・アクセス・サービスへのユーザーによるアクセスが制限され、
選択された前記データー項目は、所定の知的所有権によって保護されており、ユーザーが前記データー・アクセス・サービスを通じて前記データー項目にアクセスするために前記パーソナル電子デバイスを使用する前に、前記プロセッサーが、
ディジタル権利管理技法を通じて、前記所定の知的所有権の下でユーザーに権利を付与する取り決めを行い、
前記付与される権利は、前記ディジタル広告コンテンツの前記ユーザーの消費を条件とする、
装置。
【請求項２０】
請求項１９記載の装置において、選択された前記データー項目は、所定の対価価値を有する、装置。
【請求項２１】
請求項１９記載の装置において、前記ディジタル広告コンテンツは、所定の対価価値を有する、装置。
【請求項２２】
コンピューター読み取り可能記憶媒体と、
前記コンピューター読み取り可能記憶媒体および前記コンピューター読み取り可能媒体に格納されたコンピューター実行可能命令に応答するプロセッサーであって、
パーソナル電子デバイスのユーザーを特定し、
前記パーソナル電子デバイスを通じてユーザーによりアクセス可能なデーター・アクセス・サービスを特定し、
前記データー・アクセス・サービスを通じてユーザーにより選択されたデーター項目を特定し、選択された前記データー項目がこれに関連した対価価値を有し、
ユーザーによる消費のためのディジタル広告コンテンツを特定し、前記ディジタル広告コンテンツが、広告源からのものでありかつこれに関連した対価価値を有し、
前記ディジタル広告コンテンツを前記データー項目と関連付け、
ユーザーとデーター・アクセス・サービスとの間における対価の交換を記録するために口座にアクセスし、前記口座が口座残高を有し、
ユーザーが前記データー・アクセス・サービスを通じて選択された前記データー項目にアクセスするために前記パーソナル電子デバイスを使用するとき、選択された前記データー項目に関連した対価価値を反映するために、前記口座残高に借方記入し、
ユーザーが関連する前記ディジタル広告コンテンツを消費するとき、前記ディジタル広告コンテンツに関連した対価価値を反映するために、前記口座残高に貸方記入する、
前記コンピューター実行可能命令を実行可能なプロセッサーと、
を含み、前記口座が、前記データー・アクセス・サービスのユーザーによる使用に、前記広告源が資金提供するための媒体としての役割を果たし、前記口座残高が選択されたデーター項目の対価価値と少なくとも同じでない限り、前記データー・アクセス・サービスへのユーザーによるアクセスが制限され、
ディジタル広告コンテンツを前記データー項目と関連付ける前記ステップは、
ユーザーが前記データー項目にアクセスするために前記パーソナル電子デバイスを使用する前に、前記パーソナル電子デバイスによって前記関連付けるステップを実行する、
ユーザーが前記データー項目にアクセスするために前記パーソナル電子デバイスを使用した後に、前記パーソナル電子デバイスによって前記関連付けるステップを実行する、
ユーザーが前記データー項目にアクセスするために前記パーソナル電子デバイスを使用する前に、ＷＡＮベースのサービスによって前記関連付けるステップを実行する、
ユーザーが前記データー項目にアクセスするために前記パーソナル電子デバイスを使用した後に、ＷＡＮベースのサービスによって前記関連付けるステップを実行する、
ソース電子デバイスとターゲット電子デバイスとの間で前記データー項目が転送されるとき、ＷＡＮベースのサービスによって前記関連付けるステップを実行する、
から成る一群から選択した態様で実行する、
装置。
【請求項２３】
請求項２２記載の装置において、前記ＷＡＮベースのサービスは、前記広告源の代わりに提供されるサービス、前記データー・アクセス・サービスの代わりに提供されるサービス、および第三者サービスから成る群から選択される、装置。
【請求項２４】
請求項２２記載の装置において、選択された前記データー項目は、所定の対価価値を有する、装置。
【請求項２５】
請求項２２記載の装置において、前記ディジタル広告コンテンツは、所定の対価価値を有する、装置。
【外国語明細書】
2014029716000001.pdf